(57)【要約】【課題】無機蛍光体層の破損を抑制できる、波長変換装置、照明装置およびプロジェクターを提供する。【解決手段】回転装置と、回転装置により回転する基材と、基材の第１面に接着された無機波長変換素子と、を備え、無機波長変換素子は、複数の波長変換素子片からなり、第１面は、基材のソリ量が最大となる帯状のソリ領域を挟んで配置される第１領域と第２領域とを含み、第１領域及び第２領域には、波長変換素子片が少なくとも一つずつ配置される波長変換装置に関する。【選択図】図１
2017151157.tif 000002
【特許請求の範囲】
【請求項１】
回転装置と、
前記回転装置により回転する基材と、
前記基材の第１面に接着された無機波長変換素子と、を備え、
前記無機波長変換素子は、複数の波長変換素子片からなり、
前記第１面は、前記基材のソリ量が最大となる帯状のソリ領域を挟んで配置される第１領域と第２領域とを含み、
前記第１領域及び前記第２領域には、前記波長変換素子片が少なくとも一つずつ配置される
波長変換装置。
【請求項２】
前記第１面を平面視した場合において、前記複数の波長変換素子片は前記第１面に円環状に配置されている
請求項１に記載の波長変換装置。
【請求項３】
円環状に配置された前記複数の波長変換素子片の周方向における端部のうち、少なくとも一つは、前記ソリ領域に重なるように配置される
請求項２に記載の波長変換装置。
【請求項４】
前記複数の波長変換素子片の端部同士の隙間には、蛍光体を含む樹脂が設けられている
請求項１乃至３のいずれか一項に記載の波長変換装置。
【請求項５】
光源と、
前記光源から射出された光を受けて異なる波長帯の光を射出する、請求項１乃至４のいずれか一項に記載の波長変換装置と、を備える
照明装置。
【請求項６】
請求項５に記載の照明装置と、
前記照明装置からの照明光を画像情報に応じて変調することにより画像光を形成する光変調装置と、
前記画像光を投射する投射光学系と、を備える
プロジェクター。
【発明の詳細な説明】
【技術分野】
【０００１】
本発明は、波長変換装置、照明装置およびプロジェクターに関するものである。
【背景技術】
【０００２】
近年、プロジェクター用の光源装置として、回転蛍光板を用いた照明装置が提案されている（例えば、下記特許文献１参照）。この回転蛍光板においては、蛍光体層が設けられた基板を回転させつつ、基板上の蛍光体層にレーザー光を照射して蛍光を発生させ、蛍光を含む照明光を生成している。
【０００３】
上述のように励起光として高強度のレーザー光を照射する場合、蛍光体層の温度が上昇することで温度消光と呼ばれる現象が生じ、蛍光の発光効率が低下するおそれがある。そこで、蛍光体層の熱抵抗を下げるようにバインダーを熱伝導率の高い無機材料で形成した無機蛍光体層を用いることが考えられる。
【先行技術文献】
【特許文献】
【０００４】
【特許文献１】特開２０１０−２５６４５７号公報
【発明の概要】
【発明が解決しようとする課題】
【０００５】
しかしながら、無機蛍光体層は脆性を有することから、蛍光体層が設けられる基板の変形、組み立て時に生じる負荷や、光源装置駆動時に生じる熱応力により破損するおそれがあった。
【０００６】
本発明はこのような事情に鑑みてなされたものであって、無機蛍光体層の破損を抑制できる、波長変換装置、照明装置およびプロジェクターを提供することを目的とする。
【課題を解決するための手段】
【０００７】
本発明の第１態様に従えば、回転装置と、前記回転装置により回転する基材と、前記基材の第１面に接着された無機波長変換素子と、を備え、前記無機波長変換素子は、複数の波長変換素子片からなり、前記第１面は、前記基材のソリ量が最大となる帯状のソリ領域を挟んで配置される第１領域と第２領域とを含み、前記第１領域及び前記第２領域には、前記波長変換素子片が少なくとも一つずつ配置される波長変換装置が提供される。
【０００８】
第１態様に係る波長変換装置によれば、ソリ領域の両側に波長変換素子片が配置された構造となる。そのため、一体構造からなる無機波長変換素子がソリ領域を跨いだ状態で配置される場合に比べて、ソリ領域で生じる外部応力による無機波長変換素子の破損を抑制できる。
【０００９】
上記第１態様において、前記第１面を平面視した場合において、前記複数の波長変換素子片は前記第１面に円環状に配置されているのが好ましい。
この構成によれば、無機波長変換素子が円環形状となるので、基材の回転方向に沿って無機波長変換素子を配置させることができる。よって、例えば、基材を回転させることで、無機波長変換素子における光の入射位置を順次変化させることができる。これにより、無機波長変換素子の同じ部分に光が集中的に照射されて劣化するといった不具合の発生を防止することができる。
【００１０】
さらに、円環状に配置された前記複数の波長変換素子片の周方向における端部のうち、少なくとも一つは、前記ソリ領域に重なるように配置されるのが好ましい。
このようにすれば、波長変換素子片の少なくとも一つの端部がソリ領域を跨いで反対の領域に配置されないため、該波長変換素子片に強い応力が生じることがない。よって、無機波長変換素子の破損をより抑制できる。
【００１１】
上記第１態様において、前記複数の波長変換素子片の端部同士の隙間には、蛍光体を含む樹脂が設けられているのが好ましい。
この構成によれば、例えば、波長変換素子片の端部同士の隙間に励起光が入射した場合、蛍光を生じさせることができる。よって、蛍光を効率良く生成することができる。
【００１２】
本発明の第２態様に従えば、光源と、前記光源から射出された光を受けて異なる波長帯の光を射出する、上記第１態様に係る波長変換装置と、を備える照明装置が提供される。
【００１３】
第２態様に係る照明装置によれば、基材のソリによる無機波長変換素子の破損を抑制した波長変換装置を備えるので、信頼性の高いものとなる。
【００１４】
本発明の第３態様に従えば、上記第２態様に係る照明装置と、前記照明装置からの照明光を画像情報に応じて変調することにより画像光を形成する光変調装置と、前記画像光を投射する投射光学系と、を備えるプロジェクターが提供される。
【００１５】
第３態様に係るプロジェクターは、上記第２態様に係る照明装置を備えるので、明るく画像品質に優れた表示を行うことができる信頼性の高いものとなる。
【図面の簡単な説明】
【００１６】
【図１】第１実施形態に係るプロジェクターの光学系を示す上面図。
【図２】第一実施形態に係る回転蛍光板の平面構成図。
【図３】図２のＡ−Ａ線矢視による断面図。
【図４】図２のＢ−Ｂ線矢視による断面図。
【図５】第二実施形態の回転蛍光板の平面構成図。
【図６】図５のＣ−Ｃ線矢視による断面図。
【発明を実施するための形態】
【００１７】
以下、本発明の実施の形態について、図面を参照して詳細に説明する。
なお、以下の説明で用いる図面は、特徴をわかりやすくするために、便宜上特徴となる部分を拡大して示している場合があり、各構成要素の寸法比率などが実際と同じであるとは限らない。
【００１８】
（第一実施形態）
本実施形態に係るプロジェクターの一例について説明する。本実施形態のプロジェクターは、スクリーン（被投写面）上にカラー映像を表示する投写型画像表示装置である。
【００１９】
図１は、本実施形態に係るプロジェクター１の光学系を示す上面図である。
プロジェクター１は、図１に示すように、第１照明装置１００、第２照明装置１０２、色分離導光光学系２００、赤色光、緑色光、青色光の各色光に対応した液晶光変調装置４００Ｒ，４００Ｇ，４００Ｂ、クロスダイクロイックプリズム５００及び投写光学系６００を備える。
【００２０】
第１照明装置１００は、第１光源１０、コリメート光学系７０、ダイクロイックミラー８０、コリメート集光光学系９０、回転蛍光板（波長変換装置）３０、第１レンズアレイ１２０、第２レンズアレイ１３０、偏光変換素子１４０及び重畳レンズ１５０を備える。
【００２１】
第１光源１０は、励起光としてレーザー光からなる第１の波長帯の青色光（発光強度のピーク：約４４５ｎｍ）Ｅを射出する半導体レーザー（発光素子）からなる。第１光源１０は、１つの半導体レーザーからなるものであってもよいし、多数の半導体レーザーからなるものであってもよい。
なお、第１光源１０は、４４５ｎｍ以外の波長（例えば、４６０ｎｍ）の青色光を射出する半導体レーザーを用いることもできる。
【００２２】
本実施形態において、第１光源１０は、光軸ａｘが照明光軸１００ａｘと直交するように配置されている。
コリメート光学系７０は、第１レンズ７２と、第２レンズ７４とを備え、第１光源１０からの光を略平行化する。第１レンズ７２及び第２レンズ７４は、凸レンズからなる。
【００２３】
ダイクロイックミラー８０は、コリメート光学系７０からコリメート集光光学系９０までの光路中に、第１光源１０の光軸及び照明光軸１００ａｘのそれぞれに対して４５°の角度で交わるように配置されている。ダイクロイックミラー８０は、青色光を反射し、赤色光及び緑色光を含む黄色の蛍光を通過させる。
【００２４】
コリメート集光光学系９０は、ダイクロイックミラー８０からの青色光Ｅを略集光した状態で回転蛍光板３０の蛍光体素子４２に入射させる機能と、回転蛍光板３０から射出される蛍光を略平行化する機能とを有する。コリメート集光光学系９０は、第１レンズ９２及び第２レンズ９４を備える。第１レンズ９２及び第２レンズ９４は、凸レンズからなる。
【００２５】
第２照明装置１０２は、第２光源７１０、集光光学系７６０、散乱板７３２及びコリメート光学系７７０と、を備える。
【００２６】
第２光源７１０は、上記第１照明装置１００の第１光源１０と同一の半導体レーザーから構成される。
集光光学系７６０は、第１レンズ７６２及び第２レンズ７６４を備える。集光光学系７６０は、第２光源７１０からの青色光を散乱板７３２付近に集光する。第１レンズ７６２及び第２レンズ７６４は、凸レンズからなる。
【００２７】
散乱板７３２は、第２光源７１０からの青色光Ｂを散乱し、回転蛍光板３０から射出される蛍光Ｙの配光分布に似た配光分布を有する青色光Ｂとする。散乱板７３２としては、例えば、光学ガラスからなる磨りガラスを用いることができる。
【００２８】
コリメート光学系７７０は、第１レンズ７７２と、第２レンズ７７４とを備え、散乱板７３２からの光を略平行化する。第１レンズ７７２及び第２レンズ７７４は、凸レンズからなる。
【００２９】
本実施形態において、第２照明装置１０２からの青色光Ｂはダイクロイックミラー８０で反射され、回転蛍光板３０から射出されダイクロイックミラー８０を透過した蛍光Ｙと合成されて白色光Ｗとなる。当該白色光Ｗは第１レンズアレイ１２０に入射する。
【００３０】
図２乃至４は、実施形態に係る回転蛍光板３０を説明するために示す図である。図２は回転蛍光板３０の平面構成図であり、図３は図２のＡ−Ａ線矢視による断面図である。図４は図２のＢ−Ｂ線矢視による断面図である。
【００３１】
回転蛍光板３０は、図１及び図２に示すように、モーター（回転装置）５０と、円板（基材）４０と、反射膜４１と、円環状の蛍光体素子４２と、を備える。
円板４０は、モーター５０により回転可能である。蛍光体素子４２は、円板４０の上面（第１面）４０ａの周方向に沿って略リング状に設けられている。モーター５０は円板４０の下面４０ｂ側に配置され、その回転軸５０ａは円板４０に取り付けられている。
【００３２】
図３に示すように、蛍光体素子４２は、接着層４４を介して円板４０の上面４０ａ（反射膜４１）に接着されている。接着層４４としては、可視光帯域で高い透光性と、耐熱性（例えば、１５０℃程度の温度下にて劣化（透光性、粘着性、硬化等）し難い）とを有するシリコン系接着剤が用いられる。
【００３３】
反射膜４１は、円板４０の表面にスパッタや蒸着により設けられたＡｌ膜或いはＡｇ膜により構成され、蛍光Ｙを高い効率で反射するように設計されている。所望の反射特性の反射膜４１を良好に形成するためには、円板４０の上面４０ａが高い精度の平面粗さを持っている必要がある。
本実施形態では、上面４０ａのうち少なくとも反射膜４１の形成領域が鏡面加工されている。これにより反射膜４１は、蛍光Ｙの大部分を図３の上方向（円板４０とは反対側）に向けて良好に反射するため、回転蛍光板３０は青色光Ｅが入射する側と同じ側に向けて蛍光Ｙを射出可能となっている。
【００３４】
蛍光体素子４２は、蛍光体層４６と、該蛍光体層４６の表面に形成された反射防止膜４５とを含む。蛍光体層４６は、第１光源１０からの青色光Ｅによって励起されて第２の波長帯の蛍光Ｙを射出する。蛍光体層４６の青色光Ｅが入射する面は、蛍光Ｙが射出される射出面でもある。蛍光Ｙは、赤色光及び緑色光を含む黄色の光である。
【００３５】
反射防止膜４５は、青色光Ｅが蛍光体素子４２の表面で反射することを防止する。反射防止膜４５は、屈折率の異なる複数の層を交互に重ねて構成されており、例えば、二酸化ケイ素（ＳｉＯ２）とフッ化マグネシウム（ＭｇＦ２）とを積層した構成とすることができる。
【００３６】
ところで、蛍光体素子４２にはレーザー光からなる青色光Ｅが入射するため、該蛍光体素子４２において熱が発生する。本実施形態では、円板４０を回転させることで、円環状の蛍光体素子４２における青色光Ｅの入射位置を順次変化させている。これにより、蛍光体素子４２の同じ部分に青色光Ｂが集中的に照射されて劣化するといった不具合の発生を防止している。
【００３７】
本実施形態では、蛍光体層４６を無機材料から構成することで熱抵抗を下げて、蛍光体層４６の温度が上昇することで温度消光と呼ばれる発光不良の発生を抑制している。これにより、高い蛍光Ｙの発光効率を得ることが可能となっている。
【００３８】
具体的に本実施形態において、蛍光体層４６は、蛍光発光点となる蛍光体粒子（不図示）と、該蛍光体粒子を保持するバインダー材（不図示）とを含む。蛍光体粒子は、例えば、ＹＡＧ系蛍光体である（Ｙ，Ｇｄ）３（Ａｌ，Ｇａ）５Ｏ１２：Ｃｅから構成される。バインダー材としては、例えば、低融点ガラスから構成される。蛍光体層４６は、低融点ガラスを支持材として用いて、ＹＡＧ系蛍光体を焼成することで形成された無機蛍光体（無機波長変換素子）である。
【００３９】
また、本実施形態において、円板４０は放熱性に優れた金属製の円板から構成され、該円板４０を介して蛍光体素子４２から熱を放熱可能となっている。円板４０は、蛍光体素子４２が発する熱を放熱するために該蛍光体素子４２の外径よりも大きな直径を有している。
【００４０】
しかしながら、円板４０の外径サイズが大きくなると重くなり、モーター５０の回転負荷が増すため、モーター５０が大型化したり、モーター５０として高性能なものを用いる必要となりコストがかかってしまう。
【００４１】
モーター５０の回転負荷を低減させるには円板４０を軽くすればよい。本実施形態では、円板４０の材料として薄くて軽い金属としてアルミ板を用いている。一般にアルミ板は圧延材から構成されるため、少なからずソリを有してしまう。
一例として、厚さ１ｍｍ、外周９０ｍｍのアルミ板は最大で０．１ｍｍのソリを有する。
【００４２】
すなわち、本実施形態の円板４０はソリを有したものとなっている。このようにソリを有した本実施形態の円板４０の上面４０ａに接着された蛍光体素子４２には応力がかかる。無機材料からなる本実施形態の蛍光体素子４２は脆性を有するため、上述のような応力がかかると破損するおそれがある。
【００４３】
図４に示すように、本実施形態の円板４０は中央部に対して外周部が上方に撓んだソリ形状となっている。なお、図４においては、図を見易くするため、モーター５０の図示を省略している。
円板４０のソリ量は、円板４０の断面における上面４０ａの高さの差をいう。以下、上面４０ａのうちソリ量が最大となる領域をソリ領域と呼ぶ。図２に示すように、円板４０に生じているソリ領域ＳＡは、上面４０ａの中心を通り、所定の幅を有した帯状の領域である。
【００４４】
例えば、最もソリ量が大きいソリ領域ＳＡに脆性を有する材料（脆性材料）が配置されたとすると、該脆性材料には強い応力がかかるため、破損するおそれがある。
【００４５】
これに対し、本実施形態においては、脆性材料である蛍光体層４６を含む蛍光体素子４２を複数の素子片から構成している。具体的に、蛍光体素子４２は、第１蛍光体素子片（波長変換素子片）４２Ａと第２蛍光体素子片（波長変換素子片）４２Ｂとからなる。第１蛍光体素子片４２Ａ及び第２蛍光体素子片４２Ｂは互いに独立した素子であり、互いに分断されている。
【００４６】
第１蛍光体素子片４２Ａ及び第２蛍光体素子片４２Ｂは、リングを二分割した半円弧形状をそれぞれ有している。
第１蛍光体素子片４２Ａは、円板４０の上面４０ａのうち、ソリ量が最大となる帯状のソリ領域ＳＡの一方側に位置する第１領域Ａ１に配置される。第２蛍光体素子片４２Ｂは、円板４０の上面４０ａのうちソリ領域ＳＡの他方側に位置する第２領域Ａ２に配置されている。つまり、第１領域Ａ１及び第２領域Ａ２はソリ領域ＳＡを挟んで位置する。
【００４７】
本実施形態において、第１蛍光体素子片４２Ａはソリ領域ＳＡに重なることなく第１領域Ａ１内に位置している。また、第２蛍光体素子片４２Ｂソリ領域ＳＡに重なることなく第２領域Ａ２内に位置している。つまり、第１蛍光体素子片４２Ａの端部４２Ａ１，４２Ａ２はソリ領域ＳＡに重なっておらず、第２蛍光体素子片４２Ｂの端部４２Ｂ１，４２Ｂ２はソリ領域ＳＡに重なっていない。
【００４８】
本実施形態の蛍光体素子４２によれば、最大応力がかかる領域（ソリ領域ＳＡ）の近傍で２つの素子片に分割されているため、ソリ領域ＳＡによる応力の影響を受け難くなることから、応力による破損（割れ）が抑制される。
【００４９】
本実施形態において、第１蛍光体素子片４２Ａ及び第２蛍光体素子片４２Ｂは、ソリ領域ＳＡに重ならない位置に配置されていたが、一部がソリ領域ＳＡと重なっていても良い。
【００５０】
具体的に、第１蛍光体素子片４２Ａの端部４２Ａ１，４２Ａ２及び第２蛍光体素子片４２Ｂの端部４２Ｂ１，４２Ｂ２の少なくとも１つはソリ領域ＳＡと重なっていても良い。この場合において、第１蛍光体素子片４２Ａの端部４２Ａ１，４２Ａ２はソリ領域ＳＡを跨いで反対の第２領域Ａ２内にまではみ出した状態で配置されないことが望ましく、同様に、第２蛍光体素子片４２Ｂの端部４２Ｂ１，４２Ｂ２はソリ領域ＳＡを跨いで反対の第１領域Ａ１内にまではみ出した状態で配置されないことが望ましい。このようにすれば、ソリ領域ＳＡを跨いだ状態で蛍光体素子片４２Ａ，４２Ｂが円板４０上に配置されないため、ソリ領域ＳＡによる応力の影響を受け難くなることから、応力による破損（割れ）が抑制される。
【００５１】
なお、本発明は、端部４２Ａ１，４２Ａ２及び端部４２Ｂ１，４２Ｂ２の一部がソリ領域ＳＡを跨いだ状態に配置されることを完全に排除するものではない。
仮に、端部４２Ａ１，４２Ａ２及び端部４２Ｂ１，４２Ｂ２の一部がソリ領域ＳＡを多少跨いだとしても、リング状からなる（複数に分割されていない）蛍光体素子がソリ領域ＳＡを跨いだ状態に円板４０上に配置される場合に比べて、２つの素子片からなる蛍光体素子４２はソリ領域ＳＡによる応力の影響を受け難く、破損（割れ）が抑制される。
【００５２】
図１に戻って、第１レンズアレイ１２０は、ダイクロイックミラー８０からの光を複数の部分光束に分割するための複数の第１小レンズ１２２を有する。複数の第１小レンズ１２２は、照明光軸１００ａｘと直交する面内にマトリクス状に配列されている。
【００５３】
第２レンズアレイ１３０は、第１レンズアレイ１２０の複数の第１小レンズ１２２に対応する複数の第２小レンズ１３２を有する。第２レンズアレイ１３０は、重畳レンズ１５０とともに、第１レンズアレイ１２０の各第１小レンズ１２２の像を液晶光変調装置４００Ｒ，４００Ｇ，４００Ｂの画像形成領域近傍に結像させる。複数の第２小レンズ１３２は照明光軸１００ａｘに直交する面内にマトリクス状に配列されている。
【００５４】
偏光変換素子１４０は、第１レンズアレイ１２０により分割された各部分光束を、直線偏光光に変換する。偏光変換素子１４０は、偏光分離層と、反射層と、位相差板とを有している。偏光分離層は、回転蛍光板３０からの光に含まれる偏光成分のうち一方の直線偏光成分をそのまま透過させるとともに他方の直線偏光成分を反射層に向けて反射させる。
反射層は、偏光分離層で反射された他方の直線偏光成分を照明光軸１００ａｘに平行な方向に反射する。位相差板は、反射層で反射された他方の直線偏光成分を一方の直線偏光成分に変換する。
【００５５】
重畳レンズ１５０は、偏光変換素子１４０からの各部分光束を集光して液晶光変調装置４００Ｒ，４００Ｇ，４００Ｂの画像形成領域近傍で互いに重畳させる。第１レンズアレイ１２０、第２レンズアレイ１３０及び重畳レンズ１５０は、回転蛍光板３０からの光の面内光強度分布を均一にするインテグレーター光学系を構成する。
【００５６】
色分離導光光学系２００は、ダイクロイックミラー２１０，２２０、反射ミラー２３０，２４０，２５０及びリレーレンズ２６０，２７０を備える。色分離導光光学系２００は、第１照明装置１００および第２照明装置１０２からの白色光Ｗを赤色光ＬＲ、緑色光ＬＧ及び青色光ＬＢに分離し、赤色光ＬＲ、緑色光ＬＧ及び青色光ＬＢをそれぞれが対応する液晶光変調装置４００Ｒ，４００Ｇ，４００Ｂに導光する。
色分離導光光学系２００と、液晶光変調装置４００Ｒ，４００Ｇ，４００Ｂとの間には、フィールドレンズ３００Ｒ，３００Ｇ，３００Ｂが配置されている。
【００５７】
ダイクロイックミラー２１０は、赤色光成分を通過させ、緑色光成分及び青色光成分を反射するダイクロイックミラーである。
ダイクロイックミラー２２０は、緑色光成分を反射して、青色光成分を通過させるダイクロイックミラーである。
反射ミラー２３０は、赤色光成分を反射する反射ミラーである。
反射ミラー２４０，２５０は青色光成分を反射する反射ミラーである。
【００５８】
ダイクロイックミラー２１０を通過した赤色光は、反射ミラー２３０で反射され、フィールドレンズ３００Ｒを通過して赤色光用の液晶光変調装置４００Ｒの画像形成領域に入射する。
ダイクロイックミラー２１０で反射された緑色光は、ダイクロイックミラー２２０でさらに反射され、フィールドレンズ３００Ｇを通過して緑色光用の液晶光変調装置４００Ｇの画像形成領域に入射する。
ダイクロイックミラー２２０を通過した青色光は、リレーレンズ２６０、入射側の反射ミラー２４０、リレーレンズ２７０、射出側の反射ミラー２５０、フィールドレンズ３００Ｂを経て青色光用の液晶光変調装置４００Ｂの画像形成領域に入射する。
【００５９】
液晶光変調装置４００Ｒ，４００Ｇ，４００Ｂ各々は、入射された色光を画像情報に応じて変調して各色光に対応する画像を形成するものである。なお、図示を省略したが、各フィールドレンズ３００Ｒ，３００Ｇ，３００Ｂと各液晶光変調装置４００Ｒ，４００Ｇ，４００Ｂとの間には、それぞれ入射側偏光板が配置され、各液晶光変調装置４００Ｒ，４００Ｇ，４００Ｂとクロスダイクロイックプリズム５００との間には、それぞれ射出側偏光板が配置される。
【００６０】
クロスダイクロイックプリズム５００は、各液晶光変調装置４００Ｒ，４００Ｇ，４００Ｂから射出された各画像光を合成してカラー画像を形成する光学素子である。
【００６１】
このクロスダイクロイックプリズム５００は、４つの直角プリズムを貼り合わせた平面視略正方形状をなし、直角プリズム同士を貼り合わせた略Ｘ字状の界面には、誘電体多層膜が形成されている。
【００６２】
クロスダイクロイックプリズム５００から射出されたカラー画像は、投写光学系６００によって拡大投写され、スクリーンＳＣＲ上で画像を形成する。
【００６３】
以上述べたように、本実施形態によれば、ソリ領域ＳＡによる応力の影響を受け難く、破損（割れ）が抑制された蛍光体素子４２（蛍光体層４６）を備えた回転蛍光板３０を実現できる。よって、回転蛍光板３０を備えた第１照明装置１００は、信頼性が高く、かつ明るい照明光（白色光Ｗ）を生成できる。また、この第１照明装置１００を備えたプロジェクター１は、耐久性に優れ、品質に優れた画像を表示することができる信頼性の高いものとなる。
【００６４】
（第二実施形態）
続いて、本発明の第２実施形態について、図５を用いて説明する。
第２実施形態のプロジェクターの基本構成は第１実施形態と同様であり、回転蛍光板の構成が第１実施形態と異なる。そのため、プロジェクター全体の説明は省略し、回転蛍光板についてのみ説明する。なお、上記実施形態と共通の部材については同じ符号を付し、その詳細な説明については省略若しくは簡略化する。
【００６５】
図５は、本実施形態の回転蛍光板３０Ａの平面構成図であり、図６は図５のＣ−Ｃ線矢視による断面図である。なお、図６においては、図を見易くするため、モーター５０の図示を省略している。
【００６６】
図５、６に示すように、本実施形態の蛍光体素子４２は、第１蛍光体素子片４２Ａと第２蛍光体素子片４２Ｂとから構成されている。第１蛍光体素子片４２Ａはソリ領域ＳＡに重なることなく第１領域Ａ１内に位置している。また、第２蛍光体素子片４２Ｂソリ領域ＳＡに重なることなく第２領域Ａ２内に位置している。
【００６７】
第１蛍光体素子片４２Ａの端部４２Ａ１と該端部４２Ａ１に対向する第２蛍光体素子片４２Ｂの端部４２Ｂ１とには隙間Ｓが生じている。
【００６８】
本実施形態の回転蛍光板３０Ａでは、円板４０を回転させることで蛍光体素子４２に対する青色光Ｅの入射位置が順次変化している。そのため、上記隙間Ｓに青色光Ｅが入射した際、回転蛍光板３０Ａから射出される蛍光Ｙの光量が低下し、白色光Ｗに色ムラ或いは明るさムラが生じるおそれがある。
【００６９】
これに対し、本実施形態では、上記隙間Ｓに蛍光体粒子４９ａを含んだ樹脂４９を配置している。蛍光体粒子４９ａは、例えば、ＹＡＧ系蛍光体である（Ｙ，Ｇｄ）３（Ａｌ，Ｇａ）５Ｏ１２：Ｃｅの紛体から構成され、樹脂４９は耐熱性に優れたシリコン樹脂が用いられる。
【００７０】
この構成によれば、隙間Ｓに配置された樹脂４９に青色光Ｅが入射した際、該樹脂４９に含まれる蛍光体粒子４９ａによって蛍光Ｙを発生させることができる。よって、隙間Ｓによる蛍光Ｙの光量の低下が抑制され、白色光Ｗに色ムラ或いは明るさムラが生じるのを防止できる。なお、隙間Ｓに配置された樹脂４９は外部応力に強いため、ソリ領域ＳＡに生じている応力による割れの発生が防止される。
【００７１】
なお、本発明の技術範囲は上記実施形態に限定されるものではなく、本発明の趣旨を逸脱しない範囲において種々の変更を加えることが可能である。
【００７２】
例えば上記実施形態では、蛍光体素子４２が二つの素子片（第１蛍光体素子片４２Ａ及び第２蛍光体素子片４２Ｂ）から構成される場合を例に挙げたが、蛍光体素子４２が三つ以上の素子片から構成されていても良い。この場合において、第１領域Ａ１に二つ以上の素子片が配置されていても良いし、第２領域Ａ２に二つ以上の素子片が配置されていても良い。
【００７３】
また、上記実施形態において、円板４０は中央部に対して外周部が上方に撓んだソリ形状を有する場合を例に挙げたが、中央部に対して外周部が下方に撓んだソリ形状を有していても良い。
【００７４】
また、上記実施形態において、ソリ領域ＳＡが円板４０の中心を通る領域に設定されていたが、ソリ領域ＳＡが中心からずれた領域に配置されていても良い。この場合、ソリ領域ＳＡの位置に応じて、第１領域Ａ１と第２領域Ａ２との面積比は変化する。
【００７５】
また、上記実施形態では、反射型の回転蛍光板を備えた照明装置の例を挙げたが、透過型の回転蛍光板を備えた照明装置であってもよい。この場合、回転蛍光板の基材は光透過性を有するガラス等から構成される。ガラスは表面に反射膜等を設けることでソリが生じることがある。そこで、本発明を採用すれば、ソリが生じたガラス基材からなる回転蛍光板においても蛍光体層の破損を抑制することができる。
【００７６】
上記実施形態では、３つの液晶光変調装置４００Ｒ，４００Ｇ，４００Ｂを備えるプロジェクター１を例示したが、１つの光変調装置でカラー映像を表示するプロジェクターに適用することも可能である。また、光変調装置として、デジタルミラーデバイスを用いたプロジェクターに適用してもよい。
【００７７】
また、上記実施形態では、本発明による照明装置をプロジェクターに搭載した例を示したが、これに限られない。本発明による照明装置は、照明器具や自動車のヘッドライト等にも適用することができる。
【符号の説明】
【００７８】
１…プロジェクター、３０，３０Ａ…回転蛍光板（波長変換装置）、１０…第１光源（光源）、４０…円板（基板）、４０ａ…上面（第１面）、４２…蛍光体素子（無機波長変換素子）、４２Ａ…第１蛍光体素子片、４２Ｂ…第２蛍光体素子片、４２Ａ１，４２Ａ２，４２Ｂ１，４２Ｂ２…端部、４９…樹脂、４９ａ…蛍光体粒子、５０…モーター（回転装置）、１００…第１照明装置（照明装置）、４００Ｒ，４００Ｇ，４００Ｂ…液晶光変調装置（光変調装置）、６００…投写光学系、Ｓ…隙間、ＳＡ…ソリ領域、Ａ１…第１領域、Ａ２…第２領域。
【図１】
2017151157.tif 000003
【図２】
2017151157.tif 000004
【図３】
2017151157.tif 000005
【図４】
2017151157.tif 000006
【図５】
2017151157.tif 000007
【図６】
2017151157.tif 000008